(57)【要約】【課題】  足に装着することにより、歪んだ足底のアーチを回復させて足の正常な機能を回復させることができるとともに、外反母趾等の第１指の変形を矯正することができ、しかも装着したときの感触が良い上、足用サポータの上から靴下や靴を着用しやすい足用サポータを提供する。【解決手段】  足の幅方向に伸縮するニット生地により形成され、足の踏付け部が挿入されるとともに、踏付け部の内の中足骨付け根部分８を締め付ける筒状主体４と、足の長手方向に伸縮するニット生地により形成され、筒状主体の先端幅方向内端側に取り付けられているとともに、先端側に袋状部１１、第２指方向下部側に開口部１２を有する第１指挿入体６とを具備する足用サポータ２とする。【選択図】      図４
2005349225.tif 000002
【特許請求の範囲】
【請求項１】
足の幅方向に伸縮するニット生地により形成され、かつ中足骨付け根側端部は生地が二重になっており、足の踏付け部が挿入されるとともに、前記生地が二重になっている部分で前記踏付け部の内の中足骨付け根部分を締め付ける筒状主体と、足の長手方向に伸縮するニット生地により形成され、前記筒状主体の先端幅方向内端側に取り付けられているとともに、先端側に袋状部、第２指方向下部側に開口部を有する前記筒状主体とは別体の第１指挿入体であって、前記開口部は、第１指挿入体が足の長手方向に縮もうとする力を、第１指を足の内方に引っ張る力として作用させる第１指挿入体とを具備することを特徴とする足用サポータ。
【請求項２】
第１指挿入体が、２枚の葉片形の生地片の内方側下端から第２指側上部に至る部分を互いに縫い付けることにより形成したものであり、前記２枚の生地片の下部を筒状主体に縫い付けることにより、該第１指挿入体が筒状主体の先端幅方向内端側に取り付けられている請求項１に記載の足用サポータ。
【請求項３】
筒状主体による足の踏付け部の中足骨付け根部分の締め付け力を２４ｍｈ以上とした請求項１または２に記載の足用サポータ。
【請求項４】
筒状主体及び第１指挿入体を装着時に厚さ０．８ｍｍ以下になるニット生地で形成した請求項１〜３のいずれか１項に記載の足用サポータ。
【発明の詳細な説明】
【技術分野】
【０００１】
本発明は、ニット生地により作製された足用サポータに関し、さらに詳述すると、足に装着することにより、歪んだ足底のアーチを回復させて足の正常な機能を回復させることができるとともに、外反母趾等の第１指（親指）の変形を矯正することができる足用サポータに関する。
【背景技術】
【０００２】
近年、生活や文化の変化から、足底のアーチが歪んだ人や、外反母趾等の足の障害を持つ人が増えている。足底のアーチには、図６（ａ）〜（ｃ）に示すように、足の内側の縦アーチ５０、足の外側の縦アーチ５２、足前方の中足骨アーチ５４、足根部の横のアーチ５６があり、これらの足底のアーチは、足が正常な機能を果たすために不可欠のものである。そのため、足底のアーチが歪むと、正常に歩行、走行、運動などを行うことが難しくなる。
【０００３】
また、外反母趾は、足の変形の一種であり、図７に示すように足６０の横中足靭帯６２が緩み、中足関節６４が開いて第１中足骨６６の内反（足の内方に曲がって変形すること）を招き、結果として第１指６８が外反（足の外方に曲がって変形すること）するものである。
【０００４】
従来、上述した外反母趾を矯正するために足に装着するサポータが種々提案されており、例えば特公平２−１２０９４号（特許文献１）、実開平６−７７１４号（特許文献２）、実開平６−７７１５号（特許文献３）、実開平６−１３８１４号（特許文献４）、実開平６−１３８１５号（特許文献５）、登録実用新案第３０２４８５８号（特許文献６）、特開昭６３−２１２３５４号（特許文献７）に、外反母趾矯正用サポータが開示されている。これら外反母趾矯正用サポータの基本的な機能は、緩んだ中足関節及び中足骨を元の位置に戻して固定するとともに、第１指を正常な姿勢に戻して固定することにより、外反母趾を矯正しようというものである。
【０００５】
【特許文献１】特公平２−１２０９４号公報
【特許文献２】実開平６−７７１４号公報
【特許文献３】実開平６−７７１５号公報
【特許文献４】実開平６−１３８１４号公報
【特許文献５】実開平６−１３８１５号公報
【特許文献６】登録実用新案第３０２４８５８号公報
【特許文献７】特開昭６３−２１２３５４号公報
【発明の開示】
【発明が解決しようとする課題】
【０００６】
これまで、足にサポータを装着することによって歪んだ足底のアーチを回復させるための提案はなされていない。
【０００７】
一方、前述のように外反母趾矯正用サポータは従来より種々提案されているが、これらのサポータは、前記機能を果たすために、比較的厚くて丈夫な伸びにくい生地（非伸縮性の生地）を用いて作製してある。そのため、従来の外反母趾矯正用サポータは、装着したときの感触があまり良くなく、またサポータの上から靴下や靴を着用しにくいものであった。
【０００８】
本発明は、前記事情に鑑みてなされたもので、足に装着することにより、歪んだ足底のアーチを回復させて足の正常な機能を回復させることができるとともに、外反母趾等の第１指の変形を矯正することができ、しかも装着したときの感触が良い上、サポータの上から靴下や靴を着用しやすい足用サポータを提供することを目的とする。
【課題を解決するための手段】
【０００９】
本発明は、前記目的を達成するため、足の幅方向に伸縮するニット生地により形成され、かつ中足骨付け根側端部は生地が二重になっており、足の踏付け部が挿入されるとともに、前記生地が二重になっている部分で前記踏付け部の内の中足骨付け根部分を締め付ける筒状主体と、足の長手方向に伸縮するニット生地により形成され、前記筒状主体の先端幅方向内端側に取り付けられているとともに、先端側に袋状部、第２指方向下部側に開口部を有する前記筒状主体とは別体の第１指挿入体であって、前記開口部は、第１指挿入体が足の長手方向に縮もうとする力を、第１指を足の内方に引っ張る力として作用させる第１指挿入体とを具備することを特徴とする足用サポータを提供する。
【００１０】
本発明の足用サポータを装着する場合、筒状主体に足の踏付け部を挿入し、第１指挿入体の袋状部に第１指を挿入するとともに、筒状主体の先端開口部から第２指〜第５指を外部に突出させる。これにより、筒状主体が足の踏付け部の中足骨付け根部分を足の幅方向に縮もうとする力によって締め付け、その結果、足の横中足靭帯の機能を補助して、扁平した足底のアーチを回復させて、足の正常な機能を回復させることができる。
【００１１】
また、筒状主体が足の踏付け部の中足骨付け根部分を締め付けることにより、緩んだ中足関節及び中足骨を元の位置に戻して固定することができるとともに、第１指挿入体が第１指を足の長手方向に縮もうとする力によって足の内方に向けて引っ張り、曲がった第１指を正常な姿勢に戻して固定することができる。すなわち、第１指挿入体の第２指方向下部側には開口部が設けられているため、第１指挿入体が足の長手方向に縮もうとする力は、第１指を足の内方に引っ張る力として作用する。そのため、本発明の足用サポータによれば、外反母趾の矯正が図られる。
【００１２】
この場合、本発明の足用サポータによれば、筒状主体によって足の踏付け部の中足骨付け根部分を締め付けるので、装着者に痛みを感じさせることなく、足底のアーチの回復及び外反母趾の矯正を図ることができる。すなわち、前述した従来の外反母趾矯正用サポータは、足の踏付け部の中足骨付け根部分より先方を締め付けるものであり、このように中足骨付け根部分より先方を締め付けた場合には、装着者が痛みを感じることがあるが、本発明の足用サポータではこのような不都合は生じない。
【００１３】
また、本発明の足用サポータは、筒状主体及び第１指挿入体を別体とし、これら筒状主体及び第１指挿入体を連結してあるので、足の踏付け部における筒状主体の装着位置を容易に変えることができる。そのため、足の踏付け部における筒状主体の装着位置を変えることにより、第１指の足の内方への引っ張り具合を調整することができ、足の障害の広範な症状に対応できる。
【００１４】
本発明の足用サポータの構造に特に限定はないが、好適な例としては、第１指挿入体が、２枚の葉片形の生地片の内方側下端から第２指側上部に至る部分を互いに縫い付けることにより形成したものであり、前記２枚の生地片の下部を筒状主体に縫い付けることにより、該第１指挿入体が筒状主体の先端幅方向内端側に取り付けられている構造が挙げられる。
【００１５】
また、本発明では、筒状主体による足の踏付け部の中足骨付け根部分の締め付け力（圧力）を、２４ｍｈ（ミリハーゲン）以上、特に２４〜３４ｍｈとすることが、足底のアーチの回復効果及び外反母趾の矯正効果を高める点で適当である。
【００１６】
また、本発明では、筒状主体及び第１指挿入体を、装着時に厚さ０．８ｍｍ以下、特に０．３〜０．８ｍｍになるニット生地で形成することが、装着したときの感触を良くする点、サポータの上から靴下や靴を着用しやすくする点で好適である。このような生地としては、例えば、４００デニール以上の太さのポリウレタン繊維で編んだニット生地等が挙げられる。
【発明の効果】
【００１７】
以上説明したように、本発明の足用サポータは、歪んだ足底のアーチを回復させて足の正常な機能を回復させることができるとともに、外反母趾等の第１指の変形を矯正することができ、しかも装着したときの感触が良い上、サポータの上から靴下や靴を着用しやすい。また、装着者に痛みを感じさせることなく、足底のアーチの回復及び外反母趾の矯正を図ることができるとともに、足の踏付け部における筒状主体の装着位置を変えることにより、第１指の足の内方への引っ張り具合を調整することができ、足の障害の広範な症状に対応することができる。
【発明を実施するための最良の形態】
【００１８】
以下、本発明につき図面を参照してさらに詳しく説明するが、本発明は下記実施形態に限定されるものではない。
【００１９】
図１〜図３は本発明に係る足用サポータの一実施形態を示すもので、図１は正面図、図２は左側面図、図３は右側面図である。本例の足用サポータ２は、足の幅方向Ａに伸縮するニット生地により形成された筒状主体４と、足の長手方向（やや斜め方向）Ｂに伸縮するニット生地により形成された第１指挿入体６とによって構成されている。なお、筒状主体４は足の長手方向にも伸縮し、第１指挿入体６は足の幅方向にも伸縮する。
【００２０】
筒状主体４は筒編みによって作製したもので、その下端部分８は生地を折り返して縫い付けることにより生地が二重になっている。そして、筒状主体４内に足の踏付け部を挿入したときに、上述した生地が二重になった部分８によって踏付け部の中足骨付け根部分が締め付けられるようになっている。
【００２１】
第１指挿入体６は、２枚の葉片形の生地片１０，１０の内方側下端（図１中Ｃで示す箇所）から第２指側上部（図１中Ｄで示す箇所）に至る部分を互いに縫い付けることにより先端側に袋状部１１、第２指方向下部側に開口部１２を形成したものである。この第１指挿入体６は、生地片１０，１０の下部を筒状主体４に縫い付けることにより、筒状主体４の先端幅方向内端側に取り付けられている。なお、生地片１０，１０の第２指側の縁部１４は、生地を折り返して縫い付けることにより生地が二重になっている。
【００２２】
次に、本例の足用サポータ２の使用方法を説明する。本例の足用サポータ２を装着する場合、図４に示すように、筒状主体４に足の踏付け部を挿入し、第１指挿入体６の袋状部１１に第１指を挿入するとともに、筒状主体４の先端開口部から第２指〜第５指を外部に突出させる。これにより、下記（１）及び（２）に示す作用効果が得られ、足底のアーチの回復及び外反母趾の矯正が図られる。
（１）図５に示すように、筒状主体４の生地が二重になった部分８が踏付け部の中足骨付け根部分を足の幅方向に縮もうとする力ｙによって締め付けることにより、歪んだ足底のアーチ（特に足根部の横のアーチ）を回復させて足の正常な機能を回復させることができる。
（２）上記のように筒状主体４の生地が二重になった部分８が踏付け部の中足骨付け根部分を締め付けることにより、緩んだ中足関節及び中足骨を元の位置に戻して固定することができる。また、第１指挿入体６が第１指を足の長手方向に縮もうとする力ｘによって足の内方に向けて引っ張り、曲がった第１指を正常な姿勢に戻して固定することができる。すなわち、第１指挿入体６の第２指方向下部側には開口部１２が設けられているため、第１指挿入体６が足の長手方向に縮もうとする力ｘは、第１指を矢印ｚ方向（足の内方）に引っ張る力として作用する。したがって、外反母趾の矯正が図られる。
【図面の簡単な説明】
【００２３】
【図１】本発明の足用サポータの一実施形態を示す正面図である。
【図２】同サポータの左側面図である。
【図３】同サポータの右側面図である。
【図４】実施形態のサポータを足に装着した状態を示す説明図である。
【図５】実施形態のサポータを足に装着した状態を示す説明図である。
【図６】足底のアーチを示す説明図である。
【図７】外反母趾を示す説明図である。
【符号の説明】
【００２４】
２  足用サポータ
４  筒状主体
６  第１指挿入体
８  下端部分
１０  葉片形の生地片
１１  袋状部
１２  開口部
【図１】
2005349225.tif 000003
【図２】
2005349225.tif 000004
【図３】
2005349225.tif 000005
【図４】
2005349225.tif 000006
【図５】
2005349225.tif 000007
【図６】
2005349225.tif 000008
【図７】
2005349225.tif 000009